(57)【特許請求の範囲】
【請求項１】
飛翔害虫誘引捕殺粘着シートと台紙とより構成される害虫誘引捕殺具に於いて、該飛翔害虫誘引捕殺粘着シートは全体が湾曲されると共に、その外面側に粘着面が配設され、かつ飛翔害虫誘引捕殺粘着シートの両側縁の粘着面が二つ折りされた台紙の内面に夫々貼着されており、更に飛翔害虫誘引捕殺粘着シートの前記両側縁を除く他の粘着面全面に離形紙が貼着されていることを特徴とした飛翔害虫誘引捕殺具。
【請求項２】
帯状の飛翔害虫誘引捕殺粘着シートの両端部に夫々台紙が取り付けられており、かつ該台紙にポールの頭部或は吊下紐を挿通することが出来る切込が穿設されていることを特徴とした請求項１の飛翔害虫誘引捕殺具。
【請求項３】
前記台紙に切込みが設けられており、かつ土中に下端を差込んで起立し得るポールの頭部或いは吊下紐が該切込みに嵌入係止されて構成されていることを特徴とした請求項１或は請求項２の飛翔害虫誘引捕殺具。
【請求項４】
粘着面全面に離形紙が貼着された飛翔害虫誘引捕殺粘着シートの両側縁の該離形紙を所定の巾で切除し、かつ粘着面が外面に配設されるように飛翔害虫誘引捕殺粘着シート全体を湾曲させ、更に二つ折りされた台紙の内面に前記飛翔害虫誘引捕殺粘着シートの両側縁の粘着面を夫々当接貼着して製造することを特徴とした飛翔害虫誘引捕殺具の製造方法。
【請求項５】
粘着面全面に離形紙が貼着された連続飛翔害虫誘引捕殺粘着シートを所定の寸法に切断する際に、その切断線と平行に離形紙のみに切目線を穿設し、該切目線を用いて飛翔害虫誘引捕殺粘着シートの側縁の離形紙を所定の巾で切除することを特徴とした請求項４の飛翔害虫誘引捕殺具の製造方法。
【発明の詳細な説明】
【０００１】
【発明の属する技術分野】
本発明は飛翔害虫を誘引して効果的に捕殺することが出来る害虫捕殺具に係り、特に全面に粘着剤が塗着された捕殺粘着シートを現場で簡単かつ容易に取り扱うことが出来る飛翔害虫誘引捕殺具に関するものである。
【０００２】
【従来の技術】
従来、この種の飛翔害虫を誘引捕殺粘着シートで捕殺するためには、例えば図１２（Ａ）に示すような木で作ったＴ形台５１或いは同図（Ｂ）に示すようなプラカード台５２の巾広平板５１ａ，５２ａの表面に、飛翔害虫誘引捕殺粘着シート５３を平らに貼着すると共に、飛翔害虫誘引捕殺粘着シート５３の粘着面５３ａが外部に露出するように構成していた。また、この種のＴ形台５１或いはプラカード台５２を使用しない場合には、図１２（Ｃ）に示すように、飛翔害虫誘引捕殺粘着シート５３を二つ折りし、その折曲部に紐５４を通して飛翔害虫誘引捕殺粘着シート５３を吊下げ、飛翔害虫誘引捕殺粘着シート５３の粘着面５３ａが夫々両側外面に露出するように構成していた。
【０００３】
【発明が解決しようとする課題】
然るに、前述の飛翔害虫誘引捕殺粘着シート５３には、その粘着面５３ａの表面に予め離形紙（図示せず）が貼着されているが、この離形紙を一旦剥離すると、飛翔害虫誘引捕殺粘着シート５３の片面全面には極めて強力な粘着力を有する粘着剤が塗着されているので、飛翔害虫誘引捕殺粘着シート５３を所定の寸法に切断し、かつ離形紙を剥離しながら、これを前述のＴ形台５１、プラカード台５２の巾広平板５１ａ，５２ａの表面に平らに貼着したり、或いは二つ折りしてその折曲部に紐５４を通して吊下げしようとすると、飛翔害虫誘引捕殺粘着シート５３の粘着面５３ａの粘着剤が手等の人体や衣服に付着し易く、その後の加工が極めて困難になる問題があった。
【０００４】
本発明に係る飛翔害虫誘引捕殺具及びその製造方法は、前述の従来の問題点に鑑み開発された全く新しい技術であって、特に台紙と、離形紙が粘着面に貼着された飛翔害虫誘引捕殺粘着シートとを組合せ、該飛翔害虫誘引捕殺粘着シートの両側縁の離形紙を切除することによって貼着面を所定の巾に露出し、かつこの露出された両側の貼着面を台紙の内面に夫々貼着し、かつ飛翔害虫誘引捕殺粘着シート全体を粘着面が外面に配設されるように構成した飛翔害虫誘引捕殺具及びその製造方法に関するものである。
【０００５】
【課題を解決するための手段】
本発明に係る飛翔害虫誘引捕殺具は、前述の従来の問題点を根本的に改善した技術であって、その第１発明の要旨は、飛翔害虫誘引捕殺粘着シートと台紙とより構成される害虫誘引捕殺具に於いて、該飛翔害虫誘引捕殺粘着シートは全体が湾曲されると共に、その外面側に粘着面が配設され、かつ飛翔害虫誘引捕殺粘着シートの両側縁の粘着面が二つ折りされた台紙の内面に夫々貼着されており、更に飛翔害虫誘引捕殺粘着シートの前記両側縁を除く他の粘着面全面に離形紙が貼着されていることを特徴とした飛翔害虫誘引捕殺具である。
【０００６】
また、本発明に係る飛翔外周誘引捕殺具の第２発明の要旨は、帯状の飛翔害虫誘引捕殺粘着シートの両端部に夫々台紙が取り付けられており、かつ該台紙にポールの頭部或は吊下紐を挿通することが出来る切込が穿設されていることを特徴とした第１発明の飛翔害虫誘引捕殺具である。更に、第３発明の要旨は、前記台紙に切込みが設けられており、かつ土中に下端を差込んで起立し得るポールの頭部或いは吊下紐が該切込みに嵌入係止されて構成されていることを特徴とした第１発明或は第２発明の飛翔害虫誘引捕殺具である。
【０００７】
本発明に係る飛翔害虫誘引捕殺具の製造方法の第１発明の要旨は、粘着面全面に離形紙が貼着された飛翔害虫誘引捕殺粘着シートの両側縁の該離形紙を所定の巾で切除し、かつ粘着面が外面に配設されるように飛翔害虫誘引捕殺粘着シート全体を湾曲させ、更に二つ折りされた台紙の内面に前記飛翔害虫誘引捕殺粘着シートの両側縁の粘着面を夫々当接貼着して製造することを特徴とした飛翔害虫誘引捕殺具の製造方法である。
【０００８】
更に本発明に係る飛翔害虫誘引捕殺具の製造方法の第２発明の要旨は、粘着面全面に離形紙が貼着された連続飛翔害虫誘引捕殺粘着シートを所定の寸法に切断する際に、その切断線と平行に離形紙のみに切目線を穿設し、該切目線を用いて飛翔害虫誘引捕殺粘着シートの側縁の離形紙を所定の巾で切除することを特徴とした第１発明の飛翔害虫誘引捕殺具の製造方法である。
【０００９】
【発明の実施の形態】
図により本発明に係る飛翔害虫誘引捕殺具及びその製造方法の具体的実施例を説明すると、図１は本発明に係る飛翔害虫誘引捕殺具の使用状態を示す説明図、図２（Ａ），（Ｂ），（Ｃ）は夫々図１の飛翔害虫誘引捕殺具の構成部品を示す説明図、図３は飛翔害虫誘引捕殺粘着シートの構成及び加工状態を示す斜視説明図、図４は飛翔害虫誘引捕殺粘着シートを台紙の一部に取付け始めた状態の説明図、図５は台紙に飛翔害虫誘引捕殺粘着シートを完全に取付けた状態の説明図、図６は飛翔害虫誘引捕殺具に支持具の頭部を取付ける状態の説明図、図７は離形紙を剥離する状態の説明図、図８は他の第１例の使用説明図、図９は他の第２例の使用説明図、図１０（Ａ），（Ｂ）は夫々他例の飛翔害虫誘引捕殺具の使用説明図、図１１（Ａ），（Ｂ）も夫々他例の飛翔害虫誘引捕殺具の使用説明図である。
【００１０】
図１乃至図７に於いて、１は台紙であって、その中央部に折曲線２が設けられて二つ折りし得るように構成されている。この台紙１の中央部両側には、折曲線２を中心にして対称的な所定の切込３と小孔４とが夫々穿設されている。この切込み３によって形成される折曲フラップ５は、後述のポール或いは吊下紐を切込３に挿入した際に、これ等のポール或いは吊下紐を挟持固定し得るように構成されている。Ｐはポールであって、一般的には野菜等を育成する際に土中にその下端を差込んで使用されるプラスチック製の棒であり、農業用に農家で広く利用されるものである。
【００１１】
９は飛翔害虫誘引捕殺粘着シートであって、プラスチックシートの片面全面に強力な粘着力を有する害虫誘引粘着剤１０が塗着されており、かつその塗着面全面に離形紙１１が簡単に剥離し得る如く、貼着積層されている。この飛翔害虫誘引捕殺粘着シート９はエンドレス状の長さを有し、ロール状に巻取られている。従って、使用する際には図３に示す如く、必要な長さに切断して使用し得るように構成されている。
【００１２】
本発明に係る飛翔害虫誘引捕殺具の製造に当たっては、先ず図３に示す如く、ロール状に巻き取られた飛翔害虫誘引捕殺粘着シート９を所定の長さに切断し、かつ切断された飛翔害虫誘引捕殺粘着シート９の両端縁の端縁離形紙１１ａを切目線１２で切断することによって所定の巾で切除し、飛翔害虫誘引捕殺粘着シート９の両端縁の片面に害虫誘引粘着剤１０を露出する。
【００１３】
このようにロール状に巻き取られた飛翔害虫誘引捕殺粘着シート９を切断したり、またこのように切断される切断線個所の側部の離形紙１１のみに切目線１２を穿設し、離形紙１１の側部をこの切目線１２を利用して所定の巾で切断したりするのに当たっては、この目的の為に作られた２枚の刃を持った特殊なカッター（図示せず）を使用するとによって、飛翔害虫誘引捕殺粘着シート９の切断と同時に、離形紙１１のみに切目線１２を穿設することが出来、極めて簡単に実施することが出来る。
【００１４】
次に、図４に示す如く、二つ折りされた台紙１の片側縁の内面に、飛翔害虫誘引捕殺粘着シート９の一方の側縁に露出された粘着面を当接して、この側縁を台紙１に貼着する。続いて、図５に示す如く、飛翔害虫誘引捕殺粘着シート９を湾曲させながら、その他方の側縁に露出された粘着面を台紙１の他の片側縁の内面に貼着させて本発明に係る飛翔害虫誘引捕殺具を完成せしめることが出来る。
【００１５】
このように構成された飛翔害虫誘引捕殺具の使用に当たっては、図６、図７及び図１に示す如く、折曲線２に於いて二つ折りされた台紙１の切込３の中にポールＰの頭部を挿入し、このポールＰを切込３によって形成される折曲フラップ５で挟持することによって、ポールＰを台紙１に取付固定し、この状態でポールＰの下端を温室の土中に差し込んで起立させる。更に飛翔害虫誘引捕殺粘着シート９の中央部のほぼ全面を被っていた離形紙１１を剥離することによって、湾曲された飛翔害虫誘引捕殺粘着シート９の外面全面に害虫誘引捕殺剤１０が塗着された飛翔害虫誘引捕殺具を構成し、害虫の捕殺具として使用することが出来る。
【００１６】
上記実施例に於いては、ポールＰを使用して飛翔害虫誘引捕殺具を温室の土中に起立したが、次に詳述する図８に示すような支持具６を使用すると共に、前記台紙１に該支持具６の頭部６ａを簡単に取付けることが出来る切込３等の加工を施すことによって、両者を組合わせることによっても実施するとが出来る。
【００１７】
即ち、６は支持具であって、その中央部には折曲線７が設けられて二つ折りし得るように構成されている。かつ支持具６の頭部６ａは、巾広に形成され、前記二つ折りされた台紙１の外側に当接されると共に、その両側部を台紙１の切込３に嵌入係止し得る如く頂縁両側には突起８が突設されている。支持具６の下端６ｂは先細状に形成され、例えばこの下端６ｂを土の中に差込むことが出来るように構成されている。
【００１８】
このような支持具６を前記ポールＰの代わりに使用するに当たっては、図８に示す如く、台紙１の背面を二つ折りされた支持具６の頭部６ａで挟持し、該頭部６ａの両側縁及び突起８を台紙１の切込み３に強制的に嵌入することによって、折曲フラップ５で挟持して台紙１の背部に支持具６の頭部６ａを一体的に係合することが出来る。この状態で支持具６の下端６ｂを温室内の現場の土中に差し込んで起立させて使用することが出来る。
【００１９】
上記実施に於いては、飛翔害虫誘引捕殺具を現場の土中に起立させて使用する状態について説明したが、例えば図９に示す如く、現場の中空に張り渡されたワイヤー等の吊紐１３を利用して、この吊紐１２に飛翔害虫誘引捕殺具を吊下げて使用することが出来る。即ち、図９に示す如く、台紙１に設けられた切込３の中にワイヤー等の吊紐１３を挿通し、切込３によって形成される折曲フラップ５で吊紐１３を挟持し、これによって台紙１を吊紐１３に掛け止めし、飛翔害虫誘引捕殺具の全体を吊紐１３より吊下げることによって使用することが出来る。
【００２０】
上述の構造を有する飛翔害虫誘引捕殺具は、前述のような製造方法の工程を全て現場で実施することによっても、簡単に製造することが出来るが、予め飛翔害虫誘引捕殺粘着シート９の粘着面に積層貼着された離形紙１１の端縁に切目線１２を予め設けておくことによって、より現場の作業を容易にすることが出来る。更に飛翔害虫誘引捕殺粘着シート９が既に台紙１に取付けられており、かつ飛翔害虫誘引捕殺粘着シート９のほぼ全面が簡単に剥離し得る離形紙１１で被覆されて構成された飛翔害虫誘引捕殺具も使用することが出来る。この場合には、単に飛翔害虫誘引捕殺具を現場で土中に起立したり、或いは吊紐１３に吊下げることのみによって簡単に使用することが出来る。
【００２１】
上記実施例に於いては、飛翔害虫誘引捕殺粘着シート９を湾曲させて使用したが、図１０（Ａ），（Ｂ）或いは図１１（Ａ），（Ｂ）に示すように、飛翔害虫誘引捕殺粘着シート９を左右に帯状に開いた状態で使用することも可能である。
【００２２】
即ち、図１０（Ａ），（Ｂ）、或いは図１１（Ａ），（Ｂ）の場合には、飛翔害虫誘引捕殺粘着シート９を左右方向に帯状に開き、かつこの飛翔害虫誘引捕殺粘着シート９の両端部に台紙１を夫々別々に取り付け、両側にある台紙１の切込３に吊紐１３を挿通することによって、飛翔害虫誘引捕殺粘着シート９を吊紐１３に取り付けた構造である。台紙１の切込３に吊紐１３を挿通する手段は、これ等の図に明らかな如く、台紙１に穿設する切込３の形状を変えることによって種々の形状のものが実施出来る。
【００２３】
【発明の効果】
本発明に係る飛翔害虫誘引捕殺具及びその製造方法は、上述の構成と作用とを有するので、次のような多大な効果を有している。
【００２４】
（１）本発明の飛翔害虫誘引捕殺具の使用に当たっては、特殊なＴ形台、プラカード台等の高価な装置が全く不要である。（２）現場での作業中に飛翔害虫誘引捕殺粘着シートの粘着面が人体や衣服に付着する心配がない。（３）現場での作業を極めて簡単に実施することが出来る。（４）全体の構造が簡単で安価に大量生産することが出来る。
【図面の簡単な説明】
【図１】本発明に係る飛翔害虫誘引捕殺具の使用状態を示す説明図である。
【図２】図２（Ａ），（Ｂ），（Ｃ）は夫々図１の飛翔害虫誘引捕殺具の構成部品を示す説明図である。
【図３】飛翔害虫誘引捕殺粘着シートの構成及び加工状態を示す斜視説明図である。
【図４】飛翔害虫誘引捕殺粘着シートを台紙の一部に取付け始めた状態の説明図である。
【図５】台紙に飛翔害虫誘引捕殺粘着シートを完全に取付けた状態の説明図である。
【図６】飛翔害虫誘引捕殺具に支持具の頭部を取付ける状態の説明図である。
【図７】離形紙を剥離する状態の説明図である。
【図８】他の第１例の使用説明図である。
【図９】他の第２例の使用説明図である。
【図１０】図１０（Ａ），（Ｂ）は夫々他例の飛翔害虫誘引捕殺具の使用説明図である。
【図１１】図１１（Ａ），（Ｂ）も夫々他例の飛翔害虫誘引捕殺具の使用説明図である。
【図１２】図１２（Ａ），（Ｂ），（Ｃ）は、夫々従来例の飛翔害虫誘引捕殺具の説明図である。
【符号の説明】
１    台紙                        ２      折曲線
３    切込                        ４      小孔
５    折曲フラップ                    ６      支持具
６ａ    頭部                        ６ｂ      下端
７      折曲線                      ８        突起
９        飛翔害虫誘引捕殺粘着シート    １０            害虫誘引粘着剤
１１        離形紙                                            １１ａ      端縁離形紙
１２    切目線                                            １３      吊紐
５１        Ｔ形台                                    ５２      プラカード台
５１ａ，５２ａ  広平板                                ５３      飛翔害虫誘引捕殺粘着シート
５３ａ      粘着面                                  ５４      紐
【図１】
0003602641.tif 000002
【図２】
0003602641.tif 000003
【図３】
0003602641.tif 000004
【図４】
0003602641.tif 000005
【図５】
0003602641.tif 000006
【図６】
0003602641.tif 000007
【図７】
0003602641.tif 000008
【図８】
0003602641.tif 000009
【図９】
0003602641.tif 000010
【図１０】
0003602641.tif 000011
【図１１】
0003602641.tif 000012
【図１２】
0003602641.tif 000013